(57)【要約】【課題】      係止部材に対する摩擦作動バネのガタ付きを抑えて係止部材の係脱反応を向上した魚釣用リ−ルを提供することである。【解決手段】  回転軸２ａの外周部に摩擦円筒３が回り止め嵌合されて摩擦円筒３の外周周溝３ａに摩擦作動バネ４の三角形状の基部４ａが嵌められ、基部４ａから直線状に延びた直線部４ｂと直線部４ｂの先に折曲部４ｃが形成されている。  駆動歯車２と噛合するピニオン５ａより前側の回転軸筒５の外周に逆転防止体６が回り止め嵌合され、ピニオン５ａ位置の上側に係止部材７が回動自在に設けられて係止部材７に係合部７ａと係合壁部７ｂと側面７ｃと作動部７ｄが形成され、係合部７ａは逆転防止体６の歯部６ａに係脱自在に、係合壁部７ｂの内側面ａには直線部４ｂが当接され、側面７ｃには折曲部４ｃが当接されるように臨まされている。【選択図】        図２
2010124800.tif 000002
【特許請求の範囲】
【請求項１】
ハンドルの回転操作で連動回転する逆転防止体と、該逆転防止体に係脱するリ−ル本体に揺動自在に支持された係止部材と、回転軸の外周部に基部が装着された摩擦作動バネの先端部を、前記係止部材に係合させ、回転軸の回転方向によって摩擦作動バネを介して、係止部材を逆転防止体に係脱可能とした魚釣用リ−ルにおいて、前記係止部材の端部の上面に上方へ向けて突出する係合壁部を形成し、前記摩擦作動バネの先端の折曲部を前記係止部材の側面に、該バネの先端側の直線部を前記係合壁部の内側面のそれぞれに当接可能としたことを特徴とする魚釣用リ−ル。
【発明の詳細な説明】
【技術分野】
【０００１】
本発明は、ハンドルの回転操作に連動回転する回転体（ロ−タ）の釣糸繰り出し方向の逆転を防止する逆転防止装置を備えた魚釣用リ−ルに関する。
【背景技術】
【０００２】
従来特許文献１のように、リ−ルボディ内の側壁にストッパ−爪部材（係止部材）を回転自在に取り付けて爪先をピニオンギヤ軸の逆転止め歯（逆転防止体）に接離自在に臨ませ、上記ストッパ−爪部材に重ねたプレ−トのバネ掛け部に摩擦作動バネの一端を係合させるとともに回転軸の外周外側に設けた環状溝に上記摩擦作動バネの摩擦作動部を巻き回した魚釣用リ−ルの逆転止め機構が知られている。
特許文献１の従来技術は、ストッパ−爪部材に、Ｕ字状のバネ係合溝を形成した折曲片を有するプレ−トを重ねて回り止め装着し、このＵ字状溝に回転軸外周に嵌着した、摩擦作動バネの先端を係合させた構成であるので、以下の問題がある。
１、ストッパ−爪部材に回り止め装着されるプレ−トのガタ付きと、プレ−トのＵ字状溝に係合されるバネとのガタ付きの全体的な影響で、ストッパ−係脱の反応性に劣る。
２、プレ−トの折曲片が薄い板状で変形しやすい。
３、ストッパ−爪部材にプレ−トを回り止め装着後、ネジ止めを行い、そして、プレ−トのＵ字状溝にバネを嵌入する作業となるため、手間がかかって作業性が悪く、製造コストがアップする。
又、部品点数も多くなり経済的ではない。
【特許文献１】実開昭５５−１５７８７６号公報
【発明の開示】
【発明が解決しようとする課題】
【０００３】
解決しようとする問題点は、ストッパ−爪部材とプレ−トとのガタ付きと、プレ−トとバネとのガタ付きの全体的な影響で、ストッパ−係脱の反応性に劣ることや、プレ−トの折曲片が薄い板状で変形しやすいことや、ストッパ−爪部材とプレ−トとバネの組立作業に、手間がかかって作業性が悪く、製造コストがアップして部品点数も多くなり経済的ではないことである。
【０００４】
本発明の目的は前記欠点に鑑み、係止部材に対する摩擦作動バネのガタ付きを抑えて逆転防止体に対する係止部材の係脱反応を向上し、係止部材から摩擦作動バネが外れ難く、組み込みの作業性が向上し、部品点数の少ない魚釣用リ−ルを提供することである。
【課題を解決するための手段】
【０００５】
本発明の請求項１は、ハンドルの回転操作で連動回転する逆転防止体と、該逆転防止体に係脱するリ−ル本体に揺動自在に支持された係止部材と、回転軸の外周部に基部が装着された摩擦作動バネの先端部を、前記係止部材に係合させ、回転軸の回転方向によって摩擦作動バネを介して、係止部材を逆転防止体に係脱可能とした魚釣用リ−ルにおいて、前記係止部材の端部の上面に上方へ向けて突出する係合壁部を形成し、前記摩擦作動バネの先端の折曲部を前記係止部材の側面に、該バネの先端側の直線部を前記係合壁部の内側面のそれぞれに当接可能としたことを要旨とするものである。
【発明の効果】
【０００６】
本発明により、係止部材の係合壁部の内側面に摩擦作動バネの直線部が当接されて摩擦作動バネの折曲部が側面に当接されているので、係止部材に対する摩擦作動バネのガタ付きを抑えて逆転防止体に対する係止部材の係脱反応が速くなって性能アップが図れると共に、摩擦作動バネが係止部材から外れ難く、組み込みの作業性の向上や作動不良が防止できる。
又、部品点数の減少によるコストダウンも図れる。
【発明を実施するための最良の形態】
【０００７】
駆動歯車２の回転軸２ａの外周部には摩擦円筒３が回り止め嵌合されている。
摩擦円筒３の外周には周溝３ａが形成されて周溝３ａには摩擦作動バネ４の基部４ａが嵌められている。
摩擦作動バネ４は三角形状に形成された基部４ａと基部４ａから直線状に延びた直線部４ｂと直線部４ｂの先の折曲部４ｃで形成されている。
リ−ル本体１の前部の筒部１ｂ内の軸受１１で回転軸筒５の前側が回転自在に支持され、回転軸筒５の基端の前側に一体的にピニオン５ａが形成されて駆動歯車２に噛合されてピニオン５ａより前側の回転軸筒５の外周に逆転防止体６が回り止め嵌合されている。
ピニオン５ａ位置の上側に係止部材７が回動自在に設けられている。
係止部材７は板状の先端に係合部７ａが、後側に係合壁部７ｂと側面７ｃが、係合壁部７ｂより上側に作動部７ｄが形成されている。
係合部７ａは逆転防止体６の歯部６ａに係脱自在に臨まされ、係合壁部７ｂは直角に上方に起立されて係合壁部７ｂの内側面ａには摩擦作動バネ４の直線部４ｂが当接されるように臨まされ、側面７ｃには摩擦作動バネ４の折曲部４ｃが当接されるように臨まされ、作動部７ｄは正逆転のＯＮ／ＯＦＦ切換操作杆８のカム面８ａ、８ｂに臨まされている。
【実施例１】
【０００８】
以下、図示の一実施例によって本発明を説明すると、魚釣用リ−ルを魚釣用スピニングリ−ルで述べると、図１は魚釣用スピニングリ−ルの要部断面側面図、図２は図１の要部拡大断面側面図、図３は係止部材の外観斜視図、図４は摩擦作動バネと摩擦円筒と回転軸の一部の分解斜視図である。
【０００９】
魚釣用スピニングリ−ルは、箱形のリ−ル本体１に図示しない蓋体が取り付けられ、リ−ル本体１の上側には上向きに延びる脚部１ａが形成されている。
リ−ル本体１と図示しない蓋体で保持された図示しない軸受で駆動歯車２の回転軸２ａが軸承されてハンドル１０で駆動歯車２が駆動回転される。
駆動歯車２の回転軸２ａの外周部には摩擦円筒３が回り止め嵌合されている。
摩擦円筒３の外周には周溝３ａが形成されて周溝３ａには摩擦作動バネ４の基部４ａが若干の摩擦力（フリクション）が作用するように嵌められている。
摩擦作動バネ４は三角形状又は環状に形成された基部４ａと基部４ａから直線状に延びた直線部４ｂと該直線部４ｂの先の折曲部４ｃで形成されている。
リ−ル本体１の前部の筒部１ｂ内の軸受１１で回転軸筒５の前側が回転自在に支持され、リ−ル本体１内の軸受部１ｃに回転軸筒５の基端が嵌合支持され、基端の前側に一体的にピニオン５ａが形成されて駆動歯車２に噛合されている。
回転軸筒５のピニオン５ａより前側の回転軸筒５の外周に逆転防止体６が回り止め嵌合されている。
【００１０】
リ−ル本体１内のピニオン５ａ位置の上側に図示しない軸部で係止部材７が回動自在に設けられてビス１２で抜け止めされている。
係止部材７は板状の先端に係合部７ａが、後側に係合壁部７ｂと側面７ｃが、係合壁部７ｂより上側に作動部７ｄが形成されている。
係合部７ａは逆転防止体６の歯部６ａに係脱自在に臨まされ、係合壁部７ｂは直角に上方に起立されて係合壁部７ｂの内側面ａには摩擦作動バネ４の直線部４ｂが当接されるように臨まされ、側面７ｃには摩擦作動バネ４の折曲部４ｃが当接されるように臨まされ、作動部７ｄは正逆転のＯＮ／ＯＦＦ切換操作杆８のカム面８ａ、８ｂに臨まされて、切換操作杆８のリ−ル本体１の外側に突出した端部にツマミ１３が取り付けられている。
【００１１】
回転軸筒５の中心透孔には前側にスプ−ル１４が取り付けられたスプ−ル軸１５が前後往復動可能に摺動自在に挿入されている。
リ−ル本体１内のスプ−ル軸１５の側部にオシレ−ト機構のトラバ−スカム軸１６が設けられて回転軸筒５の回転に連動して回転され、スプ−ル軸１５の後端に摺動子１７がビス１８で固定されている。
摺動子１７内にはトラバ−スカム軸１６のカム溝に係合する係合子１９が設けられている。
回転軸筒５の前端にロ−タ９の中心筒部９ａが回り止め嵌合されてナット２０で取り付けられている。
ロ−タ９は中心筒部９ａと保持壁９ｂと大径の筒部９ｃと大径の筒部９ｃの基部の外周から前方に向けて突出された一対のア−ム部９ｄ、９ｅとで形成されてア−ム部９ｄ内の先端軸部９ｆに一方のベ−ル支持部材２１がビス２２で止められ、ア−ム部９ｅ内の先端軸部９ｇに他方のベ−ル支持部材２３がビス２４で止められて釣糸巻取状態と釣糸放出状態に反転自在に軸承されている。
一方のベ−ル支持部材２１にはロ−ラからなる釣糸案内部２５の取付部２６が取り付けられている。
他方のベ−ル支持部材２３と取付部２６の間にベ−ル２７が取り付けられている。
スプ−ル１４は前側鍔部１４ａと図示しない釣糸が巻回される釣糸巻回胴部１４ｂと円筒スカ−ト部１４ｃを備えた後側鍔部１４ｄとで形成されている。
【００１２】
前記魚釣用スピニングリ−ルの動作は、釣糸がスプ−ル１４に巻回される方向にハンドル１０が回転されると、駆動歯車２が回転されてピニオン５ａを介して回転軸筒５とロ−タ９が正回転される。
釣糸がスプ−ル１４に巻回される時は、一方のベ−ル支持部材２１に設けられた釣糸案内部２５のロ−ラで釣糸が案内されて前後に往復動されるスプ−ル１４に平行に巻回される。
図１、図２では正逆転のＯＮ／ＯＦＦ切換操作杆８のカム面８ｂに係止部材７の作動部７ｄが当接可能に臨まされているので、係止部材７の係合部７ａは逆転防止体６の歯部６ａに実線及び２点鎖線のように係脱可能に臨まされている。
釣糸がスプ−ル１４に巻回される方向に図１、図２で駆動歯車２と回転軸２ａが反時計方向に正回転されると、摩擦円筒３が反時計方向に正回転されて摩擦作動バネ４が２点鎖線のように反時計方向に揺動されるので、係止部材７は図示しない軸部とビス１２を中心に２点鎖線のように時計方向に揺動されるから、係合部７ａは逆転防止体６の歯部６ａに２点鎖線のように離脱される。
【００１３】
正逆転のＯＮ／ＯＦＦ切換操作杆８が図１、図２の状態でスプ−ル１４から釣糸が繰り出されると、ロ−タ９が逆転されて駆動歯車２と回転軸２ａが時計方向に逆回転されるが、摩擦円筒３が時計方向に正回転されるから摩擦作動バネ４が時計方向に揺動されて直線部４ｂが係止部材７の係合壁部７ｂに当接されたまま折曲部４ｃが側面７ｃに当接係合されているので、係止部材７が反時計方向に揺動されて係合部７ａが逆転防止体６の歯部６ａに係合されるから逆転防止体６と回転軸筒５とロ−タ９の回転が停止される。
正逆転のＯＮ／ＯＦＦ切換操作杆８のカム面８ｂで係止部材７の作動部７ｄが押し下げられると、係止部材７は図１、図２で２点鎖線の位置に揺動されて係合部７ａが逆転防止体６の歯部６ａから離脱されてロ−タ９と回転軸筒５が逆転可能となり、釣糸がスプ−ル１４から繰り出される。
前記正逆転のＯＮ／ＯＦＦ切換操作杆８が図１、図２の状態で釣糸がスプ−ル１４から繰り出されてロ−タ９と回転軸筒５が逆転すると共に、駆動歯車２と回転軸２ａ、摩擦円筒３が反時計方向に正回転する時、摩擦作動バネ４の直線部４ｂと折曲部４ｃで係止部材７を反時計方向に揺動するが、直線部４ｂは係合壁部７ｂの内側面ａに当接し、折曲部４ｃは側面７ｃに当接されているので、瞬時に係止部材７の揺動動作が行われると共に、確実に係止部材７を揺動することができる。
【００１４】
前記のように魚釣用リ−ルが構成されると、係止部材７の係合壁部７ｂの内側面ａに摩擦作動バネ４の直線部４ｂが当接されて摩擦作動バネ４の折曲部４ｃが側面７ｃに当接されているので、係止部材７に対する摩擦作動バネ４のガタ付きを抑えて逆転防止体６に対する係止部材７の係脱反応が速くなって性能アップが図れると共に、摩擦作動バネ４が係止部材７から外れ難く、組み込みの作業性の向上や作動不良が防止できる。
又、部品点数の減少によるコストダウンも図れる。
【産業上の利用可能性】
【００１５】
魚釣用スピニングリ−ル以外の他の魚釣用リ−ル等の逆転防止構造に実施してもよい。
なお、本発明は、前述した実施形態に限定されることなく、その要旨を逸脱しない範囲で種々変形実施できることは言うまでもない。
【図面の簡単な説明】
【００１６】
【図１】魚釣用スピニングリ−ルの要部断面側面図である。
【図２】図１の要部拡大断面側面図である。
【図３】係止部材の外観斜視図である。
【図４】摩擦作動バネと摩擦円筒と回転軸の一部の分解斜視図である。
【符号の説明】
【００１７】
１  リ−ル本体
２  駆動歯車
２ａ  回転軸
４  摩擦作動バネ
４ｂ  直線部
４ｃ  折曲部
５  回転軸筒
５ａ  ビニオン
６  逆転防止体
７  係止部材
７ｂ  係合壁部
ａ  内側面
７ｃ  側面
【図１】
2010124800.tif 000003
【図２】
2010124800.tif 000004
【図３】
2010124800.tif 000005
【図４】
2010124800.tif 000006